(57)【特許請求の範囲】
【請求項１】
シート（１）の下部フレーム（２）に取り付けた案内レール（３）を、レバー（４）の回動操作によって上下動自在としたオットマン（５）を支持した移動フレーム（６）に取り付けた車輪（７）が、前記レバー（４）を押し出したり引き戻したりする操作によって転動するようにし、前記レバー（４）を押し出す操作によって、前記オットマン（５）がシート（１）の前方に突き出した位置になり、前記レバー（４）を引き戻す操作によって、前記オットマン（５）がシート（１）の直ぐ前方の位置に戻るようにしたオットマン付きチェアであって、前記移動フレーム（６）の中程部に突設したブラケット（１１）の先端に軸支した第一回動アーム（１２）に前記レバー（４）の下端を連結したものとしたことを特徴とするオットマン付きチェア。
【請求項２】
案内レール（３）をリップミゾ形鋼状のレールとし、この案内レール（３）の上下面に、前記レバー（４）を押し出す操作によって転動する前記車輪（７）が嵌まり込んで位置決めされる窪み（８ａ、８ｂ）と、前記レバー（４）を引き戻す操作によって転動する前記車輪（７）が嵌まり込んで位置決めされる窪み（９ａ、９ｂ）とを設けたことを特徴する請求項１記載のオットマン付きチェア。
【発明の詳細な説明】
【０００１】
【発明の属する技術分野】
この発明は、マッサージ機や安楽椅子等に用いられるオットマン付きチェアに関するものである。
【０００２】
【従来の技術】
従来、この種のオットマン付きチェアにおけるオットマンは、シートの前側に配置され、シートの下方となる下降状態から回動させてシートと同程度の高さまで持ち上げた上昇状態になるものが存在する。
【０００３】
そして、前記オットマンは、単に回動してシートと同程度の高さまで持ち上げた上昇状態になるか、オットマンが回動しながらシート前方に移動することにより、オットマンがシートの前方に突き出した状態でシートと同程度の高さまで持ち上げた上昇状態になるようにしている。
【０００４】
【発明が解決しようとする課題】
しかしながら、従来のオットマン付きチェアでは、上記したような上昇状態になったオットマンは、シートの直ぐ前方の位置になるか、シートの前方に突き出した位置の何れかになるので、使用者の足の長さによってはオットマンが好ましい位置に来ないことがあり、また使用者が足を延ばしたり、足を色々な態勢にするときには使用者の足の長さにかかわらずオットマンが好ましい位置に来ず、不都合な場合があるという課題を有していた。
【０００５】
そこで、この発明は、上記従来のオットマン付きチェアが有する課題を解決するものであり、上昇状態になったオットマンをシートの直ぐ前方の位置にしたり、シートの前方に突き出した位置の何れにもできるようにして、使用者の足の長さにかかわらず、使用者が足を延ばしたり、足を色々な態勢にするのに都合良くしたオットマン付きチェアを提供することを目的としてなされたものである。
【０００６】
【課題を解決するための手段】
そのため、この発明のオットマン付きチェアは、シート１の下部フレーム２に取り付けた案内レール３を、レバー４の回動操作によって上下動自在としたオットマン５を支持した移動フレーム６に取り付けた車輪７が、前記レバー４を押し出したり引き戻したりする操作によって転動するようにし、前記レバー４を押し出す操作によって、前記オットマン５がシート１の前方に突き出した位置になり、前記レバー４を引き戻す操作によって、前記オットマン５がシート１の直ぐ前方の位置に戻るようにし、前記移動フレーム６の中程部に突設したブラケット１１の先端に軸支した第一回動アーム１２に前記レバー４の下端を連結したものとしている。
【０００７】
さらに、この発明のオットマン付きチェアは、案内レール３をリップミゾ形鋼状のレールとし、この案内レール３の上下面に、前記レバー４を押し出す操作によって転動する前記車輪７が嵌まり込んで位置決めされる窪み８ａ、８ｂと、前記レバー４を引き戻す操作によって転動する前記車輪７が嵌まり込んで位置決めされる窪み９ａ、９ｂとを設けたものとしている。
【０００８】
【発明の実施の形態】
以下、この発明のオットマン付きチェアの一実施形態を、図面に基づいて詳細に説明する。
【０００９】
この発明のオットマン付きチェアは、シート１の下部フレーム２に沿って案内レール３を取り付けたものとしている。この案内レール３には、レバー４の回動操作によって上下動自在としたオットマン５を支持した移動フレーム６に取り付けた車輪７が、前記レバー４を押し出したり引き戻したりする操作によって転動するようにしている。そして、前記レバー４を押し出す操作によって、前記オットマン５がシート１の前方に突き出した位置になり、前記レバー４を引き戻す操作によって、シート１の前方に突き出した前記オットマン５がシート１の直ぐ前方の位置に戻るようにしている。
【００１０】
案内レール３は、図４に示したように、鋼板をプレス加工するなどしてリップミゾ形鋼状としたレールとしており、リップ溝３ａを下面に形成したものとしている。そして、この案内レール３の上下面には、前記レバー４を押し出す操作によって転動する車輪７が嵌まり込んで位置決めされる窪み８ａ、８ｂと、前記レバー４を引き戻す操作によって転動する車輪７が嵌まり込んで位置決めされる窪み９ａ、９ｂとを設けたものとしている。なお、前記車輪７は、移動フレーム６の中程部と後端部にそれぞれ軸支したものとしている。
【００１１】
オットマン５は、移動フレーム６の前端部に軸支された支持アーム１０の先端に取り付けられると共に、移動フレーム６の中程部に突設したブラケット１１の先端に軸支した第一回動アーム１２の先端にさらに軸支した第二回動アーム１３の先端に軸支されたものとしている。また、第一回動アーム１２には、前記レバー４の下端を連結したものとし、このレバー４の上端をシート１の側部に立ち上がらせた状態にしている。そして、このレバー４の回動操作によって、第一回動アーム１２を回動させ、さらにこの第一回動アーム１２の回動によって、第二回動アーム１３及び支持アーム１０を回動させることにより、前記オットマン５を回動させて、このオットマン５を上下動自在としたものにしている。
【００１２】
なお、案内レール３には、必要に応じてその側部の適宜位置に前記レバー４の係止棒１４を突設したものとしている。そして、この係止棒１４は、前記レバー４の初期位置（前記レバー４を回動操作したり、押し出したり引き戻したりする操作を行う前）においては、図１に示したように、このレバー４を係止し、オットマン５をシート１の下方となる下降状態に停止させておくようにしている。また、この係止棒１４は、前記レバー４の最終位置（前記レバー４を回動操作すると共に、押し出す操作を行った後）においては、図３に示したように、このレバー４を係止し、オットマン５をシート１の前方に突き出した位置に上昇した状態に停止させておくようにしている。
【００１３】
以上のように構成したこの発明のオットマン付きチェアを使用するには、次のようにして行う。
【００１４】
先ず、図１に示した状態において、使用者がシート１に座った状態で、レバー４を矢印方向に回動させる。このレバー４の回動操作により、第一回動アーム１２が回動し、この第一回動アーム１２の回動によって、さらに第二回動アーム１３が回動する。すると、この第二回動アーム１３の回動によって、支持アーム１０が回動するので、オットマン５が図２中の矢印方向に回動して上昇した状態となり、この状態でオットマン５がロックされる。この時、このオットマン４はシート１の直ぐ前方の位置に上昇した状態となる。
【００１５】
そして、図２に示した状態において、前記レバー４が案内レール３に設けた係止棒１４に突き当たるまで、このレバー４を矢印方向に押し出す。このレバー４の押し出し操作により、移動フレーム６に取り付けた車輪７が案内レール３の窪み９ａ、９ｂから出て案内レール３を転動し、案内レール３の窪み８ａ、８ｂに嵌まり込み、その位置において安定した状態となって停止する。この時、移動フレーム６の略前半部が案内レール３から飛び出し、オットマン５はシート１の前方に突き出した位置に上昇した状態になる。
【００１６】
また、図３に示した状態において、前記レバー４を矢印方向に引き戻す。このレバー４の引き戻し操作により、移動フレーム６に取り付けた車輪７が案内レール３の窪み８ａ、８ｂから出て案内レール３を転動し、案内レール３の窪み９ａ、９ｂに嵌まり込み、その位置において安定した状態となって停止する。この時、移動フレーム６は引き戻され、再びオットマン４が、図２に示したようなシート１の直ぐ前方の位置に上昇した状態となる。
【００１７】
さらに、図２に示した状態において、前記レバー４を図１の矢印と反対の方向に回動させる。このレバー４の回動操作により、第一回動アーム１２が回動し、この第一回動アーム１２の回動によって、さらに第二回動アーム１３が回動する。すると、この第二回動アーム１３の回動によって、支持アーム１０が回動するので、オットマン４が、図１に示したようなシート１の下方となる下降状態に戻る。
【００１８】
【発明の効果】
この発明のオットマン付きチェアは、以上に述べたように構成されており、上昇状態になったオットマンをシートの直ぐ前方の位置にしたり、シートの前方に突き出した位置の何れにもできるようにしたので、使用者の足の長さにかかわらず、使用者が足を延ばしたり、足を色々な態勢にするのに都合の良いものとなった。
【図面の簡単な説明】
【図１】  この発明のオットマン付きチェアのオットマンをシートの下方となる下降状態にした説明図である。
【図２】この発明のオットマン付きチェアのオットマンがシートの直ぐ前方の位置に上昇した状態を示す説明図である。
【図３】この発明のオットマン付きチェアのオットマンがシートの前方に突き出した位置に上昇した状態を示す説明図である。
【図４】この発明のオットマン付きチェアのレバー下部近辺の構造を拡大して示す説明図である。
【符号の説明】
１  シート
２  下部フレーム
３  案内レール
４  レバー
５  オットマン
６  移動フレーム
７  車輪
８ａ  窪み
８ｂ  窪み
９ａ  窪み
９ｂ  窪み
【図１】
0004264608.tif 000002
【図２】
0004264608.tif 000003
【図３】
0004264608.tif 000004
【図４】
0004264608.tif 000005